【事件の表示】
　特願２００１−　５３８７８「ユーザーインターフェース装置」拒絶査定不服審判事件〔平成１３年１１月３０日出願公開、特開２００１−３３３０８４〕について、次のとおり審決する。
【結　論】
　本件審判の請求は、成り立たない。
【理　由】
１　手続の経緯・本願発明
　本願は、平成１３年２月２８日（遡及出願平成４年１１月２日）の出願であって、その請求項１乃至２５に係る発明は、特許請求の範囲の請求項１乃至２５に記載された事項により特定される次のとおりものである。（以下、「本願発明１乃至２５」という。）
　「【請求項１】　クロック信号を供給するベースシステムと共に使用するユーザーインターフェース装置において、
　第１、第２直列データ入力と、第１、第２直列データ出力とを有する第１回路を備え、
該第１回路は、前記クロック信号の第１の所定のイベントに応答して第１直列データ入力からデータを読み、前記クロック信号の前記第１の所定のイベントに応答して第１直列データ出力を更新し、該第１回路は、前記第１の所定のイベントと異なる前記クロック信号の第２の所定のイベントに応答して第２直列データ入力からデータを読み、前記クロック信号の前記第２の所定のイベントに応答して第２直列データ出力を更新し、
　前記第１直列データ入力に接続する第１リード線と、前記第２直列データ出力に接続する第２リード線と、前記クロック信号を伝播する第３リード線を含む第１コネクターハウジング、及び、
　前記第２直列データ入力に接続する第１リード線と、前記第１直列データ出力に接続する第２のリード線とを含む第２コネクターハウジング、
を備え、
　前記クロック信号は、各々が複数の画素を有する複数のラインからなるビデオ表示装置に投影された画像の水平同期を表す水平同期信号を備え、さらに、
　特定の画素の相対的光強度に応答する信号を受信する手段、
　前記水平同期信号から前記特定の画素を含むラインを求める手段、及び、
　前記特定の画素を含む前記ラインに沿って、前記特定の画素の相対的位置を求める手段
、
を備えることを特徴とする装置。
　　【請求項２】　前記第２コネクターは、前記クロック信号を伝播する第３リード線を備えることを特徴とする請求項１記載の装置。
　　【請求項３】　前記第１コネクターは、音声信号を伝播する第４リード線を備え、前記装置はさらに、前記音声信号に応答する信号をスピーカーに接続するコネクターを備えることを特徴とする請求項１記載の装置。
　　【請求項４】　第１と第２の論理レベルの間を交互に変るクロック信号を供給するベースシステムと共に使用するユーザーインターフェース装置において、
　第１、第２直列データ入力と、第１、第２直列データ出力とを有する第１回路を備え、該第１回路は、前記クロック信号の第１論理レベルから第２論理レベルへの第１エッジ状変化に応答して第１直列データ入力からデータを読み、前記第１エッジ状変化に応答して第１直列データ出力を更新し、該第１回路はさらに、前記クロック信号の第２論理レベルから第１論理レベルへの第２エッジ状変化に応答して第２直列データ入力からデータを読み、前記第２エッジ状変化に応答して第２直列データ出力を更新し、
　前記第１直列データ入力に接続する第１リード線と、前記第２直列データ出力に接続する第２リード線と、前記クロック信号を伝播する第３リード線を含む第１コネクターハウジングと、
　前記第２直列データ入力に接続する第１リード線と、前記第１直列データ出力に接続する第２のリード線とを含む第２コネクターハウジングと、
を備え、
　前記クロック信号は、前記交替が第１周波数で起こる第１周期と、前記交替が前記第１周波数と異なる第２周波数で起こる第２周期とを含み、
　前記第１回路は、前記第２周期中に前記クロック信号に起こる前記第１論理レベルから前記第２論理レベルへの各エッジ状変化に応答して前記第１直列入力からデータを読み、前記第２周期中に前記クロック信号に起こる前記第１論理レベルから前記第２論理レベルへの各エッジ状変化に応答して前記第１直列データ出力を更新し、
　前記第１回路はさらに、前記第２周期中に前記クロック信号に起こる前記第２論理レベルから前記第１論理レベルへの各エッジ状変化に応答して前記第２直列入力からデータを読み、前記第２周期中に前記クロック信号に起こる前記第２論理レベルから前記第１論理レベルへの各エッジ状変化に応答して前記第２直列データ出力を更新する、
ことを特徴とする装置。
　　【請求項５】　前記第２周波数は、前記第１周波数より高いことを特徴とする請求項４記載の装置。
　　【請求項６】　交替が第１周波数で起こる第１周期と、前記交替が前記第１周波数と異なる第２周波数で起こる第２周期とを含むクロック信号と共に使用する装置において、
　直列入力と直列出力と並列入力とを有するシフトレジスタと、
　前記シフトレジスタに結合した弁別器とを備え、前記弁別器は、前記第２周期中に起こる前記クロック信号の前記第１論理レベルから前記第２論理レベルへの各エッジ状変化に応答して、前記シフトレジスタにその直列入力からデータをクロックさせ、前記弁別器はさらに、前記第１周期中に起こる前記クロック信号の前記第１論理レベルから前記第２論理レベルへの各エッジ状変化に応答して、前記シフトレジスタにその並列入力からデータをクロック制御して入力させ、
　少なくとも１つのハウジングを有するコネクター装置を備え、前記コネクター装置は、前記シフトレジスタの直列入力に接続する第１リード線と、前記シフトレジスタの直列出力に接続する第２のリード線と、前記クロック信号を伝播する第３のリード線とを備え、
　第２直列入力と第２直列出力とを有する回路を備え、前記回路は、前記第２周期の間に起こる前記クロック信号の特定のエッジ状変化に応答して前記第２直列データ入力からデータを読み、前記クロック信号の特定のエッジ状変化に応答して前記第２直列出力を更新し、
　前記コネクター装置は、
　前記シフトレジスタの直列入力に接続する前記第１リード線と、前記第２直列出力に接続するリード線と、前記クロック信号を伝播する前記第３リード線とを含む第１ハウジング、及び、
　前記第１直列入力に接続するリード線と、前記シフトレジスタの直列出力に接続する前記第２リード線と、前記クロック信号を伝播するリード線とを含む第２ハウジング、
を備えることを特徴とする装置。
　　【請求項７】　前記第２周波数は、前記第１周波数より高いことを特徴とする請求項６記載の装置。
　　【請求項８】　前記シフトレジスタは、前記クロック信号を受信するため結合したクロック入力を有し、さらにロードイネーブル入力を有し、前記シフトレジスタは、前記ロードイネーブル入力が表明されている間に起こる、前記クロック信号の前記第１論理レベルから前記第２論理レベルへの各エッジ状変化に応答して前記並列入力からデータをロードし、
　前記弁別器は、前記第１周期中に起こる、前記クロック信号の前記第１論理レベルから前記第２論理レベルへの各エッジ状変化の間に前記ロードイネーブル入力を表明する、
ことを特徴とする請求項６記載の装置。
　　【請求項９】　前記弁別器は、前記クロック信号を受信するため結合し、前記ロードイネーブル入力に結合した出力を有するローパスフィルターを備えることを特徴とする請求項８記載の装置。
　　【請求項１０】　前記クロック信号の前記第１、第２周期は、前記ビデオ表示装置の垂直帰線周期に同期して前記クロック信号中で交替することを特徴とする請求項６記載の装置。
　　【請求項１１】　前記第２周期中の前記クロック信号に起こる前記エッジ状変化の各４つのうちの１つは、前記ビデオ表示装置の水平帰線周期に同期して起こることを特徴とする請求項１０記載の装置。
　　【請求項１２】　クロック信号を供給するベースシステムと共に使用するユーザーインターフェース装置において、
　第１、第２直列データ入力と、第１、第２直列データ出力とを有する第１回路を備え、該第１回路は、前記クロック信号の第１の所定のイベントに応答して第１直列データ入力からデータを読み、前記クロック信号の前記第１の所定のイベントに応答して第１直列データ出力を更新し、該第１回路は、前記第１の所定のイベントと異なる前記クロック信号の第２の所定のイベントに応答して第２直列データ入力からデータを読み、前記クロック信号の前記第２の所定のイベントに応答して第２直列データ出力を更新し、
　少なくとも１つのハウジングを有するコネクター装置を備え、該コネクター装置は、前記第１直列データ入力に接続する第１リード線と、前記第１直列データ出力に接続する第２リード線と、前記第２直列データ入力に接続する第３リード線と、前記第２直列データ出力に接続する第４リード線と、前記クロック信号を伝播する第５リード線とを含み、
　前記コネクタ装置の前記第１リード線が高論理レベルに駆動されなければ、前記第１データ入力を低論理レベルに引張るため結合したプルダウン部品、
を備えることを特徴とする装置。
　　【請求項１３】　異なる垂直位置に、各々が複数の画素位置を有する複数の水平走査線を有し、前記画素位置の周期的走査を行うビデオ表示装置と共に使用する装置であって、さらに第１と第２論理レベルの間を各前記走査の初めに第１周波数で、各前記走査のその後に前記第１周波数と異なる第２周波数で交替するクロック信号と共に使用する装置において、
　前記ビデオ表示装置に向けられる光検知デバイス、
　前記クロック信号に応答して走査線を計数するため結合した走査線カウンター、及び、
　前記走査線の１つ内の画素位置を計数するため結合した画素カウンター、を備え、
　前記走査がこのような走査線と画素の位置に到達したと前記光検知デバイスが検知したとき、前記走査線カウンターと前記画素カウンターとは、前記光検知デバイスが向けられた前記走査線と画素の位置を示すことを特徴とする装置。
　　【請求項１４】　前記装置は銃の外観を有することを特徴とする請求項１３記載の装置。
　　【請求項１５】　前記第２周波数は、前記第１周波数より高いことを特徴とする請求項１３記載の装置。
　　【請求項１６】　クロック信号を供給するベースシステムと共に使用し、制御データに応答して左目カバーと右目カバーとを有する立体メガメを制御する装置において、
　装置制御データ入力、
　前記立体メガネに結合した装置制御データ出力、
　前記装置制御データ入力に結合したデータ入力とデータ出力とを有し、前記クロック信号の所定のイベントに応答して第１回路の前記データ入力からデータを読取り、前記クロック信号の前記所定のイベントに応答して前記第１回路の前記データ出力を更新する第１回路、
　前記第１回路の前記データ出力に結合したデータ入力と、データ出力とを有し、前記クロック信号の第２の所定のイベントに応答して第２回路の前記データ入力からデータを読取り、前記クロック信号の前記第２の所定のイベントに応答して前記第２回路の前記データ出力を更新する第２回路、及び、
　前記第２回路の前記データ出力に結合したデータ入力と、データ出力とを有し、ロード信号に応答して第３回路の前記データ入力からデータを読取り、前記ロード信号に応答して前記第３回路の前記データ出力を更新する第３回路、を備え、前記第３回路の前記データ出力は、前記装置の制御データ出力に結合し、
　前記クロック信号の前記第２の所定のイベントに応答してクリアーされ、前記クロック信号の前記第１の所定のイベントに応答し、前記クロック信号の前記第１の所定のイベントの特定の数の後に前記ロード信号を発生する計数デバイスを備えることを特徴とする装置。
　　【請求項１７】　前記ロード信号は、前記ビデオ表示装置に投影される画像の第１フィールドと同期することを特徴とする請求項１６記載の装置。
　　【請求項１８】　前記ロード信号は、さらに前記ビデオ表示装置に投影される画像の第２フィールドと同期することを特徴とする請求項１７記載の装置。
　　【請求項１９】　前記制御データは、左ストローブ信号と右ストローブ信号とからなり、前記立体メガネは、前記左ストローブ信号の所定のイベントに応答して開く左目カバーと、前記右ストローブ信号の所定のイベントに応答して開く右目カバーとを有することを特徴とする請求項１６記載の装置。
　　【請求項２０】　周期的に異なる画像フィールドを表示するビデオ表示装置と共に使用する装置において、
　左ストローブ信号に応答して開く左目カバーと、右ストローブ信号に応答して開く右目カバーとを有する立体メガネ、及び、
　前記立体メガネに結合し、第１画像フィールドが表示されているときのみ前記左目カバーが開き、第２画像フィールドが表示されているときのみ前記右目カバーが開くように同期した前記左ストローブ信号と前記右ストローブ信号とを発生する制御手段、
を備えることを特徴とする装置。
　　【請求項２１】　前記制御手段はさらに、
　制御データを供給するデータソース、
　クロック信号を提供するクロックソース、
　前記データソースに結合した装置制御データ入力、
　前記立体メガネに結合した装置制御データ出力、
　前記装置制御データ入力に結合したデータ入力を有し、前記クロック信号の所定のイベントに応答して第１回路の前記データ入力からデータを読取り、前記クロック信号の前記所定のイベントに応答して前記第１回路の前記データ出力を更新する第１回路、
　前記第１回路の前記データ出力に結合したデータ入力と、データ出力とを有し、前記クロック信号の第２の所定のイベントに応答して第２回路の前記データ入力からデータを読取り、前記クロック信号の前記第２の所定のイベントに応答して前記第２回路の前記データ出力を更新する第２回路、
　前記第２回路の前記データ出力に結合したデータ入力と、データ出力とを有し、ロード信号に応答して第３回路の前記データ入力からデータを読取り、前記ロード信号に応答して前記第３回路の前記データ出力を更新する第３回路、
　前記クロック信号の前記第２の所定のイベントに応答してクリアーされ、前記クロック信号の前記第１の所定のイベントに応答し、前記クロック信号の前記第１の所定のイベントの特定の数の後に前記ロード信号を発生する計数デバイス、
を備えることを特徴とする請求項２０記載の装置。
　　【請求項２２】　システムメモリと、クロックソースと、複数のバスデバイスとを有するシステムでデータを転送する方法であって、各々の前記バスデバイスは、クロック入力と、前記クロック入力の第１の所定のイベントに応答してデータを記憶する第１メモリと、前記第１メモリの入力を第１データソースと接続する第１コネクターと、前記第１メモリの出力をデータの第１レシーバーと接続する第２コネクターとを有する方法において
、
　第１対話型インターフェース装置の前記第１コネクターを前記システムメモリに接続し
、
　第２対話型インターフェース装置の前記第２コネクターを前記第１対話型インターフェース装置の前記第２コネクターに接続し、
　前記クロックソースを前記第１対話型インターフェース装置と前記第２対話型インターフェース装置のクロック入力に接続し、
　前記クロックソースにおいて第１の所定の信号を発生し、
　前記クロックソースにおいて第１の所定の信号を繰り返し、
　前記システムがさらに、垂直同期を有する表示装置上に投影されるビデオ画像を備え、
前記第１の所定の信号を発生するステップは、
　前記第１の所定の信号を前記表示装置の垂直同期と同期して発生することからなり、
　前記第１の所定の信号を繰り返すステップは、
　前記第１の所定の信号を前記表示装置の垂直同期と同期して発生することからなることを特徴とする方法。
　　【請求項２３】　各々のバスデバイスは、さらに前記クロック入力で第２の所定のイベントに応答してデータを記憶する第２メモリと、前記第２メモリの入力を第２データソースと接続する第３コネクターと、前記第２メモリの出力を第２データレシーバーと接続する第４コネクターとを有する方法において、
　第１対話型インターフェース装置の前記第４コネクターを前記システムメモリに接続し
、
　第２対話型インターフェース装置の前記第４コネクターを前記第１対話型インターフェース装置の前記第３コネクターに接続し、
　前記クロックソースにおいて第２の所定の信号を発生し、
　前記クロックソースにおいて第２の所定の信号を繰り返す、
ことを特徴とする請求項２２記載の方法。
　　【請求項２４】　前記第２の所定の信号を発生するステップは、
　前記第２の所定の信号を前記表示装置の垂直同期と同期して発生することからなり、
　前記第２の所定の信号を繰り返すステップは、
　前記第２の所定の信号を前記表示装置の垂直同期と同期して発生することからなることを特徴とする請求項２２記載の方法。
　　【請求項２５】　前記第１の所定の信号を発生するステップは、前記第２の所定の信号を発生するステップより前に起こり、前記第１の所定の信号を繰り返すステップは、前記第２の所定の信号を発生するステップの後で、前記第２の所定の信号を繰り返すステップの前に行われることを特徴とする請求項２４記載の方法。」
２　当審の拒絶理由
　当審において、平成１７年７月２９日付けで次のとおりの拒絶理由を通知した。
　「本件出願は、明細書及び図面の記載が下記の点で不備のため、特許法第３６条第４項及び第５項に規定する要件を満たしていない。 
 　　　　　　　　　　　　　　　　記 
イ）第３６条第５項第１号に関して 
　発明の詳細な説明中に、特許請求の範囲に記載された事項と対応する事項が記載されていない。 
・請求項１ 
　「第１回路」、「第１コネクターハウジング」、「第２コネクターハウジング」が、図のどれに対応するのか、また、実施例のどこに記載されているのか不明である。 
　「特定の画素の相対的光強度に応答する信号を受信する手段」、「・・・特定の画素の相対的位置を求める手段」が、実施例のどこに示されているのか不明である。 
・請求項４ 
　「第１回路」、「第１コネクターハウジング」、「第２コネクターハウジング」が、図のどれに対応するのか、また、実施例のどこに記載されているのか不明である。 
　「・・・第１周期」、「・・・第２周期」が、実施例のどこに示されているのか不明である。 
　「前記第１回路・・・各エッジ状変化に応答して・・・更新し」が、実施例のどこに示されているのか不明である。 
　「前記第１回路はさらに・・・各エッジ状変化に応答して・・・更新する」が、実施例のどこに示されているのか不明である。 
・請求項６ 
　「シフトレジスタ」、「弁別器」、「コネクター装置」、「第１ハウジング」、「第２ハウジング」が、図のどれに対応するのか、また、実施例のどこに記載されているのか不明である。 
・請求項１２ 
　「第１回路」、「コネクター装置」、「プルダウン部品」が、図のどれに対応するのか、また、実施例のどこに記載されているのか不明である。 
　・請求項１３ 
　「光検知デバイス」、「画素カウンター」、「走査線カウンター」が、図のどれに対応するのか、また、実施例のどこに記載されているのか不明である。 
・請求項１６ 
　「立体メガネを制御する装置」、「第１回路」、「第２回路」、「第３回路」が、図のどれに対応するのか、また、実施例のどこに記載されているのか不明である。 
・請求項２０ 
　「左目カバー」、「右目カバー」、「立体メガネ」、「制御手段」が、図のどれに対応するのか、また、実施例のどこに記載されているのか不明である。 
・請求項２２ 
　「第１メモリ」、「第１コネクタ」、「第２コネクタ」が、図のどれに対応するのか、また、実施例のどこに記載されているのか不明である。 
　「前記システムがさらに、垂直同期を有する表示装置上に投影されるビデオ画像を備え、前記第１の所定の信号を発生するステップは、前記第１の所定の信号を前記表示装置の垂直同期と同期して発生することからなり、前記第１の所定の信号を繰り返すステップは、前記第１の所定の信号を前記表示装置の垂直同期と同期して発生することからなる」が、実施例のどこに示されているのか不明である。 
ロ）第３６条第４項に関して 
　発明の詳細な説明に記載した発明の目的を達成するための個々の技術的手段相互の関係が不明瞭である。 
・段落番号【００４６】〜【００４９】の記載では、図４のジョイスティック・インタフェース装置における各部品の相互関係及びその動作がどのようになっているのか不明である。 
・段落番号【００５０】の記載では、図５の立体カメラ装置における各部品の相互関係及びその動作がどのようになっているのか不明である。」
３　当審の判断
　平成１７年７月２９日付けの拒絶の理由に対して、期間を指定して意見書を提出する機会を与えたが、請求人からは何らの応答もない。そこで、再度、上記の拒絶の拒絶理由を検討したが、上記の拒絶の理由は妥当なものと認められる。
４　むすび
　したがって、本願発明１乃至２５は、当審で通知した拒絶の理由によって拒絶すべきものである。
　よって、結論とおり審決する。